(57)【特許請求の範囲】
【請求項１】
少なくとも２つのハーフを超音波を印加することによって溶着して収納空間を形成するカートリッジであって、
少なくとも一方のハーフに形成した円弧状リブの外周面から突起部材が一体に連設され、
上記突起部材は、上記円弧状リブから延設された基部と該基部の上端からさらに他方のハーフ側へ突出した突出部とが一体に形成されて成り、
上記突出部が上記基部から立ち上がる根本部を曲面とした
ことを特徴とする超音波を印加して溶着するカートリッジ。
【請求項２】
上記曲面の曲率半径が０．１ｍｍから０．３ｍｍの範囲内である
ことを特徴とする請求項１に記載の超音波を印加して溶着するカートリッジ。
【請求項３】
上記突出部と上記円弧状リブとの間を０．２ｍｍから０．４ｍｍの範囲内で離間させた
ことを特徴とする請求項１に記載の超音波を印加して溶着するカートリッジ。
【請求項４】
上記突出部はその側面に荷重を加えたときに１．０ｍｍから１．５ｍｍの範囲で弾性変形する
ことを特徴とする請求項１に記載の超音波を印加して溶着するカートリッジ。
【請求項５】
少なくとも２つのハーフを超音波を印加することによって溶着して収納空間を形成し、該収納空間内にディスク状記録媒体を回転可能に収納したカートリッジであって、
２つのハーフに形成された円弧状リブが互いに突き合わされてディスク状記録媒体の収納空間が形成され、
一方のハーフに形成された円弧状リブの外周面から突起部材が一体に連設され、
上記突起部材は、上記円弧状リブから延設された基部と該基部の上端からさらに他方のハーフ側へ突出した突出部とが一体に形成されて成り、
上記突出部が上記基部から立ち上がる根本部を曲面とした
ことを特徴とする超音波を印加して溶着するカートリッジ。
【請求項６】
上記曲面の曲率半径が０．１ｍｍから０．３ｍｍの範囲内である
ことを特徴とする請求項５に記載の超音波を印加して溶着するカートリッジ。
【請求項７】
上記突出部と上記円弧状リブとの間を０．２ｍｍから０．４ｍｍの範囲内で離間させた
ことを特徴とする請求項５に記載の超音波を印加して溶着するカートリッジ。
【請求項８】
上記突出部はその側面に荷重を加えたときに１．０ｍｍから１．５ｍｍの範囲で弾性変形する
ことを特徴とする請求項５に記載の超音波を印加して溶着するカートリッジ。
【発明の詳細な説明】
【０００１】
【発明の属する技術分野】
本発明は新規な超音波を印加して溶着するカートリッジに関する。詳しくは、溶着時の超音波振動により円弧状リブに一体に連設した突起部材に破損が生じないようにする技術に関する。
【０００２】
【従来の技術】
少なくとも２つのハーフを超音波を印加することによって溶着して収納空間を形成するカートリッジにあって、円弧状リブに突起部材を一体に連設する場合がある。
【０００３】
音楽信号、映像信号等の情報信号の記録及び／又は再生が可能な円板状記録媒体（以下、「ディスク」という）を扁平で矩形をしたカートリッジ本体内に回転可能に収納したディスクカートリッジがある。
【０００４】
このようなディスクカートリッジは通常２つの扁平なハーフが上下で突き合わされた状態で超音波を印加されて溶着され、２つのハーフの間に形成された収納空間内にディスクが回転可能に収納される。そして、２つのハーフの突き合わせ面にはそれぞれ円弧状のリブが形成され、該円弧状リブが互いに突き合わされた状態で、これら円弧状リブによって囲まれた円形の扁平空間が形成され、該空間内にディスクが配置されるようになっている。そして、各ハーフの周縁部に形成された外壁リブ同士及びその他のリブや突起が超音波溶着される。
【０００５】
また、ディスクカートリッジには記録及び／又は再生のためにディスクの一部を外部に臨ませるための窓が形成され、該窓を開閉するためのシャッター部材が設けられることがある。そして、シャッター部材が設けられた場合、該シャッター部材を上記窓を閉じた閉鎖位置にロックするロック部材が設けられる場合がある。かかるロック部材は上記円弧状リブと外壁リブとの間の狭い空間内に配置され、シャッター部材をロックするロック位置と該ロックを解除するロック解除位置との間を移動する係合腕部を有し、また、該係合腕部をロック位置側へ弾発付勢する弾性変形部を有する。そして、ロック部材の弾性変形部を撓ませて付勢力を蓄えるために弾性変形部の先端を当接させる突当壁を一方のハーフに設ける必要があり、該突当壁は、スペース上の問題等により、上記円弧状リブに近接した位置に設ける必要がある。ただ小さい突起部である突当壁を他の部分と独立した状態で設けることには、製造上問題がある。
【０００６】
すなわち、超音波の印加により溶着される部材である２つのハーフは熱可塑性樹脂の射出成形によって形成されるものである。従って、小さな突起物が独立して存在していると、当該部分を形成するキャビティ部分に溶融樹脂が流れ込みにくく、設計通りの形状を得られなかったり、場合によっては、当該部分が欠損する等の不都合を生じる惧がある。
【０００７】
そこで、上記突当壁を必要とする箇所に近接して位置する円弧状リブに一体に連設しておくことによって、キャビティの円弧状部分から突当壁へとスムーズに溶融樹脂が流れ、成形性が良くなる。
【０００８】
図１２乃至図１４は上記のようにして突当壁が形成されたハーフの一部を示すものである。ハーフａは下ハーフであり、主面部ｂに円弧状リブｃが立設されている。該円弧状リブｃの上端に上ハーフｄの円弧状リブｅの下端が突き合わされる。下ハーフａの円弧状リブｃの外周面から突当壁ｆが突設され、該突当壁ｆは円弧状リブｃの上端よりさらに上方へ突出されている。ただ、円弧状リブｃの上端からの突出高さは上ハーフｄの円弧状リブｅの高さより小さくされている（図１３参照）。
【０００９】
下ハーフａの円弧状リブｃと外壁リブｇとの間の空間ｈにはロック部材ｉを支持するための円柱状突起ｊが突設されている（図１２参照）。
【００１０】
ロック部材ｉはやや弾性を有する合成樹脂の成形品として形成され、係合腕部ｋと弾性変形部ｌとがほぼＶ字状を為すように一体に形成され、Ｖ字の根本部に被支持孔ｍが形成されている。そして、被支持孔ｍに下ハーフａの円柱状突起ｊが挿通され、これによって、ロック部材ｉは回動可能に下ハーフａに支持される。そして、弾性変形部ｌがやや撓まされた状態でその先端部に形成された突当突起ｎが上記突当壁ｆに突き当てられ、これによって、ロック部材ｉは係合腕部ｋの先端が外壁リブｇか外へ飛び出す方向へ付勢される（図１２参照）。
【００１１】
【発明が解決しようとする課題】
ところで、上記した構造のディスクカートリッジでは、上下ハーフａ、ｄの溶着時に互いに突き当てられる円弧状リブｃ、ｅを介して超音波振動が突当壁ｆに直接伝わり、該振動によって突当壁ｆが破損されてしまうという問題があった。
【００１２】
そこで、本発明は、２つのハーフの超音波溶着時に超音波振動が伝達されても円弧状リブに一体に連設された突起部材が破損されないようにすることを課題とする。
【００１３】
【課題を解決するための手段】
本発明超音波を印加して溶着するカートリッジは、上記した課題を解決するために、少なくとも２つのハーフを超音波を印加することによって溶着して収納空間を形成するカートリッジであって、少なくとも一方のハーフに形成した円弧状リブの外周面から突起部材が一体に連設され、上記突起部材は、上記円弧状リブから延設された基部と該基部の上端からさらに他方のハーフ側へ突出した突出部とが一体に形成されて成り、上記突出部が上記基部から立ち上がる根本部を曲面としたものである。
【００１４】
従って、本発明超音波を印加して溶着するカートリッジにあっては、突起部材の突出部の基部から立ち上がる根本部に形成された曲面によって突出部の柔軟性が増し、その結果、超音波を印加されたときに、円弧状リブを介して伝達される超音波振動によって生じる突起部材の破損が減少する。
【００１５】
【発明の実施の形態】
以下に、本発明超音波を印加して溶着するカートリッジの実施の形態を添付図面を参照して説明する。なお、図示した実施の形態は、本発明を２つのハーフが結合されて形成される収納空間内に光磁気ディスクが回転可能に収納されて成るディスクカートリッジに適用したものである。
【００１６】
ディスクカートリッジ１はカートリッジ本体２内に光磁気ディスク（以下、「ディスク」という）３が回転可能に収納されて成る。
【００１７】
カートリッジ本体２は上ハーフ４と下ハーフ５とが上下で突き合わせ状に結合されて形成される（図３参照）。上ハーフ４の主面部４ａの下面及び下ハーフ５の主面部５ａの上面にはそれぞれ円形の空間を仕切る円弧状リブ６、７が形成されており、これら円弧状リブ６、７によって上記ディスク３が配置される空間が形成される。下ハーフ５の主面部５ａの円弧状リブ７で囲まれた空間の中心部には円形をしたターンテーブル挿入口８が形成されており（図２、図３参照）、ディスクカートリッジ１が記録再生装置に装着された際に、記録再生装置に設けられたターンテーブルが該ターンテーブル挿入口８からカートリッジ本体２内に挿入されるようになっている。ディスク３の中心部には磁性金属板から成るセンタープレート３ａが取着されており（図３参照）、カートリッジ本体２内に挿入されたターンテーブルに設けられたチャッキングマグネットに上記センタープレート３ａが吸着されることによってディスク３がターンテーブルにチャッキングされる。
【００１８】
上ハーフ４の主面部４ａの円弧状リブ６によって囲まれた領域のうち一側部側の位置に内周から外周に亘って磁気ヘッドアクセス窓９が形成され（図１、図３参照）、下ハーフ４の主面部５ａの上記磁気ヘッドアクセス窓９に対応した位置にピックアップアクセス窓１０が形成されている（図２、図３参照）。
【００１９】
上ハーフ４の主面部４ａの上面の一側部寄りの位置で磁気ヘッドアクセス窓９が形成された部分から後端寄りの位置にかけて浅い凹部１１が形成されており（図１参照）、また、下ハーフ５の主面部５ａの下面の一側部寄りの位置でピックアップアクセス窓１０が形成された部分から後端寄りの位置にかけて浅い凹部１２が形成されている（図２参照）。
【００２０】
下ハーフ５の一側部のピックアップアクセス窓１０から前側の部分と後端部とに所定の上下幅を有するガイド壁１３、１３が形成されている（図１、図３参照）。また、上ハーフ４の一側部は下側の部分が後端を除いて切り取られたごとき形状にされ、それによって上端部に残った薄壁部１４と前側の上記ガイド壁１３との間に溝１５が形成される。
【００２１】
また、上ハーフ４の主面４ａの下面の一側部を除く周縁部及び下ハーフ５の主面５ａの下面の一側部を除く周縁部にはそれぞれ外壁リブ１６、１７が形成されている。
【００２２】
カートリッジ本体２内の上記円弧状リブ６、７と一側部と前側の外壁リブ１６、１７との間の空間１８内にロック部材１９が配置される（図４参照）。
【００２３】
ロック部材１９はやや弾性を有するプラスチックのモールド品として形成され、図６及び図７からよく分かるように、係合腕部２０と弾性変形部２１とが平面形状でほぼ「Ｖ」字状を為すように一体に形成されて成る。係合腕部２０は平面形状でほぼ「へ」字状を為し、屈曲部の下面側に係合凹部２０ａが形成され、該係合凹部２０ａより先端側に先端に行くに従って弾性変形部２１側に変位して行く傾斜ガイド面２０ｂが形成され、また、係合凹部２０ａより基端側に上記傾斜ガイド面２０ｂと反対向きの傾斜を有する傾斜ガイド面２０ｃが形成されている。さらに、係合腕部２０の下面のうち基端部寄りの位置から先の部分は削り取られた如き形状を為していて、これによって、基端部寄りの位置に回動位置規制面２０ｄが形成されている。弾性変形部２１は面方向が上下方向に沿う薄い板状に形成されて係合腕片２０より大きな弾性変形が可能にされている。また、係合腕部２０と弾性変形部２１との連結部には上下方向に延びる円形の取付孔１９ａが形成されている。
【００２４】
カートリッジ本体２内の上記空間１８の前端部には下ハーフ５の主面部５ａに立設された支持軸２２が設けられており、また、支持軸２２から後方へ隔たった円弧状リブ７寄りの位置に突当壁２３が形成されている（図４、図５、図９参照参照）。
【００２５】
突当壁２３は円弧状リブ７の外周面から一体に突出するように突起部材として形成され、その高さは円弧状リブ７の高さより高くなっている。すなわち、突当壁２３は円弧状リブ７と同じ高さで円弧状リブ７から延長された如き基部２３ａと該基部２３ａの上端からさらに上方へ突出された突出部２３ｂとが一体に形成されて成る。そして、突出部２３ｂは円弧状リブ７から離間した位置から突出され、該突出部２３ｂの高さは上ハーフ４の円弧状リブ６より低く形成されている（図９参照）。従って、上ハーフ４と下ハーフ５とを溶着するために突き合わせたとき、すなわち、円弧状リブ６と７、また、外壁リブ１６と１７、その他の上ハーフに形成されたリブや突起と下ハーフに形成したリブや突起とを上下で突き当てられたときに、突当壁２３の突出部２３ｂは上ハーフ４の円弧状リブ６と接触することが無く、且つ、上ハーフ４の主面部４ａとも接触することがない（図１１参照）。そして、突出部２３ｂが上ハーフ４の円弧状リブ６と接触しないためには、突出部２３ｂと円弧状リブ７との間の間隔Ｄは０．２ｍｍから０．４ｍｍの範囲内であることが望ましい（図９参照）。
【００２６】
そして、上記突当壁２３において、突出部２３ｂが基部２３ａから立ち上がる根本部２３ｃは曲面とされている。そして、この根本部２３ｃの曲面の曲率半径Ｒは０．１ｍｍから０．３ｍｍの範囲内であることが望ましい（図１０参照）。このように、突出部２３ｂの基部２３ａからの立ち上がり根本部２３ｃを曲面とすることによって、突当壁２３に柔軟性が付与され、溶着時に超音波振動によって破損し辛くなる。例えば、突当壁２３に面方向に約１．５Ｋｇの荷重（図９の矢印Ｌ参照）を加えたときに、突当壁２３は１．０ｍｍから１．５ｍｍの弾性変位を示した。
【００２７】
上記ロック部材１９は係合腕部２０がカートリッジ本体２の一側部側を向いた向きで取付孔１９ａがカートリッジ本体２の支持軸２２に回動可能に外嵌される。また、弾性変形部２１の先端に設けられた突当突条２１ａはカートリッジ本体２の突当壁２３に弾発的に当接される。この際、弾性変形部２１はやや撓んだ状態とされ、これによって、係合腕部２０にカートリッジ本体２の一側部方向に突き出す方向、すなわち、図４中矢印ＣＣＷ方向への回動力が付勢される。そして、係合腕部２０の回動規制面２０ｄが上記ガイド壁１３の内面に当接したところで矢印ＣＣＷ方向への回動が停止し、この状態で、係合凹部２０ａの開口面及び２つの傾斜ガイド面２０ｂ、２０ｃの係合凹部２０ａ寄りの部分が溝１５内に突出した状態となる（図４参照）。この図４に示した状態における係合腕部２０の位置がロック位置である。
【００２８】
上記アクセス窓９、１０を開閉するシャッター部材２４がカートリッジ本体２に前後方向、すなわち、図１及び図２中矢印Ａ、Ｂ方向に摺動自在に設けられる。
【００２９】
図１、図２及び図８から分かるように、シャッター部材２４はアルミニウム、ステンレス等の薄い金属板を打ち抜き、切断及び折曲加工して形成されている。シャッター部材２４は、上ハーフ４のアクセス窓９より一回り大きい矩形の板状をしたシャッター板２５と下ハーフ５のアクセス窓１０より一回り大きな板状をしたシャッター板２６とこれら２つのシャッター板２５、２６の一側端間を連結した連結板２７とが前後方向から見て扁平な「コ」字状を為すように一体に形成されている。そして、連結板２７には後述するシャッター閉塞部材が係合する係合孔２７ａが形成されている。
【００３０】
上記連結板２７の前後にはそれぞれガイド部２８、２９が連設されている。ガイド部２８、２９はそれぞれ連結板２７の下側ほぼ半分の部分と下側のシャッター板２６の連結板２７寄りの部分とが「Ｌ」字状に連結されたような形状をしており、各側辺部２８ａ、２９ａの上縁の連結板２７寄りの位置に上側ガイド片３０、３０がシャッター板２５、２６と同じ方向に突設されており、また、下辺部２８ｂ、２９ｂの先端に下側ガイド片３１、３１が上方へ向けて突設されている。そして、各ガイド部２８、２９において下辺部２８ｂ、２９ｂと上側ガイド片３０、３０との間の間隔はカートリッジ本体２のガイド壁１３の厚み、すなわち、上下方向の大きさより僅かに大きくされている。
【００３１】
また、前側のガイド部２８の前端部には被ロック部３２が連設されている。該被ロック部３２はガイド部２８の側辺部２８ａに連続した側辺部３２ａとガイド部２８の下辺部２８ｂに連続した下辺部３２ｂとを有し、側辺部３２ａの高さはガイド部２８、２９の側辺部２８ａ、２９ａの高さより高く、その上端はガイド部２８、２９の側辺部２８ａ、２９ａの上端より高い位置に位置している（図８参照）。そして、被ロック部３２の側辺部３２ａの上縁からは係合片３３が上記上側ガイド片３０、３０と同じ方向へ突設されている。
【００３２】
そして、シャッター部材２４は、ガイド部２８、２９の下辺部２８ｂ、２９ｂと上側ガイド片３０、３０とによってカートリッジ本体２のガイド壁１３を上下から挟むように位置され、且つ、下側ガイド片３１、３１がカートリッジ本体２下面に形成された摺動溝３４（図２参照）に摺動自在に係合することによって、カートリッジ本体２に前後方向、すなわち、図１、図２中矢印Ａ、Ｂ方向へ摺動自在に支持される。なお、シャッター部材２４のシャッター板２５、２６はそれぞれカートリッジ本体２の上下面に形成された浅い凹部１１、１２内に位置した状態で前後方向に移動される。
【００３３】
シャッター部材２４が上記したようにカートリッジ本体２に取り付けられると、被ロック部３２の係合片３３はカートリッジ本体２の溝１５の上下方向におけるほぼ中央に位置される。そして、シャッター部材２４が閉鎖位置、すなわち、シャッター板２５が磁気ヘッドアクセス窓９を、また、シャッター板２６がピックアップアクセス窓１０をそれぞれ覆った位置にある状態で、シャッター部材２４の係合片３３がロック部材１９の係合凹部２０ａと係合し、これによって、シャッター部材２４は前後方向へ移動することが出来ない状態、すなわち、ロックされた状態となる（図１、図４参照）。
【００３４】
そして、ディスクカートリッジ１がディスク３について記録及び／又は再生を行う記録再生装置に装着されるとき、ディスクカートリッジ１が記録再生装置のカートリッジ装着部に挿入されていくと、カートリッジ装着部に設けられたシャッター開放部材３５がカートリッジ本体２の上記溝１５に相対的に前端から進入してきて、後方、すなわち、図１中矢印Ｂ方向に移動して行く。このように、溝１５内を相対的に後方へ移動して行くシャッター開放部材３５によって、先ず、ロック部材１９の前側の傾斜ガイド面２０ｃがカートリッジ本体２内へ押し込まれるように押され、これによって、ロック部材１９の弾性変形部２１が撓んで、係合腕部２０がカートリッジ本体２内に引っ込む方向に、すなわち、図５中矢印ＣＷ方向に回動し、係合腕部２０に形成された係合凹部２０ａとシャッター部材２４の係合片３３との係合が解除されると共にシャッター開放部材３５がシャッター部材２４の被ロック部３２の側辺部３２ａの前端に当接し、さらに、該側辺部３２ａを後方へ向かって押圧する。そして、シャッター部材２４は、被ロック部３２の側辺部３２ａがシャッター開放部材３５によって後方へ向かって押圧されることによって上側ガイド片３０、３０がガイド壁１３によって、また、下側ガイド片３１、３１が摺動溝３４によってそれぞれ案内されて後方へ移動し、シャッター板２５、２６がアクセス窓９、１０を開放する開放位置に達する（図２参照）。
【００３５】
そして、シャッター部材２４が開放位置に達すると、シャッター開放部材３５によるロック部材１９の傾斜ガイド面２０ｃに対する押圧動作が解除され、ロック部材１９の係合腕部２０は弾性変形部２１に蓄えられた弾発力によって回動規制面２０ｄがガイド壁１３に当接するまで回動して係合凹部２０ａが形成された部分及び傾斜ガイド面２０ｂ、２０ｃの係合凹部２０ａに近接した部分が溝１５内に位置される。
【００３６】
また、ディスクカートリッジ１が記録再生装置のカートリッジ装着部に挿入されていくに従って、カートリッジ装着部に設けられたシャッター閉塞部材３６がシャッター部材２４の被ロック部３２の側辺部３２ａに当接する。シャッター閉塞部材３６は図示しない弾発付勢手段によってカートリッジ本体２の一側面２ａ側に付勢されており、シャッター開放部材３５の係合腕部２０の傾斜ガイド面２０ｃへの押圧動作によってシャッター部材２４へのロックが解除された直後にシャッター閉塞部材３６の先端部がシャッター部材２４の係合孔２７ａに係合する。
【００３７】
ディスク３に対する記録又は再生動作が終了してイジェクト操作が行われると、ディスクカートリッジ１は記録再生装置のカートリッジ装着部から取り出される。この際、シャッタ部材２４は、記録再生装置側の弾発付勢手段によって弾発付勢されたシャッター閉塞部材３６が係合孔２７ａに係合していることによって移動を規制されているので、カートリッジ本体２に対して相対的に前方へ向けて移動することになる。そして、シャッター部材２４が前方へ移動することによって係合片３３がロック部材１９の後側の傾斜ガイド面２０ｂに乗り上げ且つ摺動してゆく。シャッター部材２４は下側ガイド片３１、３１が下ハーフ５の主面５ａに形成された摺動溝３４に係合しているので、カートリッジ本体２の一側面２ａから離れる方向へは移動することが出来ないので、上記係合片３３がロック部材１９の係合腕部２０の傾斜ガイド面２０ｂをカートリッジ本体２の内側へ押圧することになり、係合腕部２０がカートリッジ本体２の内側方向へ回動する。そして、シャッター部材２４が閉鎖位置に到達すると、係合片３３がロック部材１９の係合凹部２０ａに対応するため、係合腕部２０は弾性変形部２１に蓄えられた弾発力によって元の位置に戻り、係合凹部２０ａと係合片３３とが係合して、シャッター部材２４は閉鎖位置にロックされる。シャッター部材２４は閉鎖位置に達すると、それ以上は前方へ移動することが出来ないので、そこからさらに、ディスクカートリッジ１をカートリッジ装着部から引き出す力によって、記録再生装置側のシャッター閉塞部材３６は弾発付勢手段の付勢力に抗してシャッター部材２４の係合孔２７ａから外れ、ディスクカートリッジ１はカートリッジ装着部から取り出される。
【００３８】
上記したディスクカートリッジにおいては、２つのハーフ４、５の結合は超音波溶着によって為され、そのために、円弧状リブ６と７、外壁リブ１６と１７が及び各ハーフ４、５に形成されたリブや突起同士が上下で突き合わせられ、その状態で超音波が印加される。そして、上記外壁リブ１６と１７同士の他、各ハーフ４、５に形成された突起３７、３７、・・・に設けられた溶着リブ３７ａ、３７ａ、・・・同士が溶着され、これによって２つのハーフ４と５とが結合される。そして、この超音波が印加されるとき、円弧状リブ７から一体に突設されている突当壁２３にも円弧状リブ１７を介して超音波振動が伝達されるが、突当壁２３には突出部２３ｂの基部２３ａからの立ち上がり根本部２３ｃが曲面とされることによって柔軟性が付与されているので、上記超音波振動の伝達による破損が著しく減少する。
【００３９】
下記表１は、ディスク３を直径が約６２ｍｍの円板状をした光磁気ディスクとし、該光磁気ディスクを従来の構造を有するカートリッジ本体内に収納したもの（「従来品」と称する）と本発明にかかる構造を有するカートリッジ本体２内に収納したもの（「発明品」と称する）とを検体としてそれぞれ１００個（従来品）及び１３０００個（発明品）用意し、各検体について同じ溶着条件によって超音波溶着したときに於ける突当壁ｆ（従来品）、２３（発明品）の破損の状況を示したものである。
【００４０】
【表１】
0004524537.tif 000002
【００４１】
この表１からも分かるとおり、従来品については８％の破損率を示したものが発明品については破損率０（ゼロ）％であった。
【００４２】
なお、上記した実施の形態においては、本発明を光磁気ディスクを回転可能に収納するカートリッジに適用したものを示したが、本発明の適用範囲がこのようなものに限られることを意味するものではなく、本発明は他のカートリッジ、例えば、磁気ディスクを収納したカートリッジ、記録媒体以外の収納物を収納する収納空間を有するカートリッジ等、２つのハーフが超音波を印加されて溶着されるカートリッジであれば、広く適用することが出来る。
【００４３】
また、上記した実施の形態において示した各部の形状乃至構造は、何れも本発明を実施するに際して行う具体化のほんの一例を示したものに過ぎず、これらによって本発明の技術的範囲が限定的に解釈されるようなことがあってはならないものである。
【００４４】
【発明の効果】
以上に記載したところから明らかなように、本発明超音波を印加して溶着するカートリッジは、少なくとも２つのハーフを超音波を印加することによって溶着して収納空間を形成するカートリッジであって、少なくとも一方のハーフに形成した円弧状リブの外周面から突起部材が一体に連設され、上記突起部材は、上記円弧状リブから延設された基部と該基部の上端からさらに他方のハーフ側へ突出した突出部とが一体に形成されて成り、上記突出部が上記基部から立ち上がる根本部を曲面としたことを特徴とする。
【００４５】
従って、本発明超音波を印加して溶着するカートリッジにあっては、突起部材の突出部の基部から立ち上がる根本部に形成された曲面によって突出部の柔軟性が増し、その結果、超音波を印加されたときに、円弧状リブを介して伝達される超音波振動によって生じる突起部材の破損が減少する。
【００４６】
請求項２に記載した発明にあっては、上記曲面の曲率半径が０．１ｍｍから０．３ｍｍの範囲内であるので、突起部材に適度な柔軟性を付与することが出来る。
【００４７】
請求項３に記載した発明にあっては、上記突出部と上記円弧状リブとの間を０．２ｍｍから０．４ｍｍの範囲内で離間させたので、円弧状リブと突き合わされる他のハーフの円弧状リブとの接触を確実に回避することが出来ると共に、上記曲面の形成が容易になる。
【００４８】
請求項４に記載した発明にあっては、上記突出部はその側面に荷重を加えたときに１．０ｍｍから１．５ｍｍの範囲で弾性変形するようにしたので、超音波振動による破損が効果的に防止される。
【００４９】
請求項５に記載した発明にあっては、少なくとも２つのハーフを超音波を印加することによって溶着して収納空間を形成し、該収納空間内にディスク状記録媒体を回転可能に収納したートリッジであって、２つのハーフに形成された円弧状リブが互いに突き合わされた状態でディスク状記録媒体の収納空間が形成され、一方のハーフに形成された円弧状リブの外周面から突起部材が一体に連設され、上記突起部材は、上記円弧状リブから延設された基部と該基部の上端からさらに他方のハーフ側へ突出した突出部とが一体に形成されて成り、上記突出部が上記基部から立ち上がる根本部を曲面としたので、突起部材の突出部の基部から立ち上がる根本部に形成された曲面によって突出部の柔軟性が増し、その結果、超音波を印加されたときに、円弧状リブを介して伝達される超音波振動によって生じる突起部材の破損が減少する。
【００５０】
請求項６に記載した発明にあっては、上記曲面の曲率半径が０．１ｍｍから０．３ｍｍの範囲内であるので、突起部材に適度な柔軟性を付与することが出来る。
【００５１】
請求項７に記載した発明にあっては、上記突出部と上記円弧状リブとの間を０．２ｍｍから０．４ｍｍの範囲内で離間させたので、円弧状リブと突き合わされる他のハーフの円弧状リブとの接触を確実に回避することが出来ると共に、上記曲面の形成が容易になる。
【００５２】
請求項８に記載した発明にあっては、上記突出部はその側面に荷重を加えたときに１．０ｍｍから１．５ｍｍの範囲で弾性変形するようにしたので、超音波振動による破損が効果的に防止される。
【図面の簡単な説明】
【図１】図２乃至図１１と共に本発明超音波を印加されて溶着されるカートリッジの実施の形態を示すものであり、本図はシャッター部材が閉鎖位置にある状態を上面側から見て示す斜視図である。
【図２】シャッター部材が開放位置にある状態を下面側から見て示す斜視図である。
【図３】全体の分解斜視図である。
【図４】ロック部材がロック位置にある状態を上ハーフを取り除いて示す要部の平面図である。
【図５】ロック部材がロック解除位置にある状態を上ハーフを取り除いて示す要部の平面図である。
【図６】下ハーフのロック部材配置部とロック部材とを分離して示す斜視図である。
【図７】ロック部材の図６と反対の方向から見た斜視図である。
【図８】シャッター部材の斜視図である。
【図９】下ハーフの要部を示す拡大斜視図である。
【図１０】図９のＸ−Ｘ線に沿う断面図である。
【図１１】カートリッジ本体の要部の拡大断面図である。
【図１２】図１３及び図１４と共に従来のカートリッジの一例を示すものであり、本図は要部の平面図である。
【図１３】図１２のＸＩＩＩ−ＸＩＩＩ線に沿う拡大断面図である。
【図１４】要部の拡大斜視図である。
【符号の説明】
１…ディスクカートリッジ（超音波を印加して溶着するカートリッジ）、３…光磁気ディスク（ディスク状記録媒体）、７…円弧状リブ、２３…突当壁（突起部材）、２３ａ…基部、２３ｂ…突出部、２３ｃ…突出部が基部から立ち上がる根本部
【図１】
0004524537.tif 000003
【図２】
0004524537.tif 000004
【図３】
0004524537.tif 000005
【図４】
0004524537.tif 000006
【図５】
0004524537.tif 000007
【図６】
0004524537.tif 000008
【図７】
0004524537.tif 000009
【図８】
0004524537.tif 000010
【図９】
0004524537.tif 000011
【図１０】
0004524537.tif 000012
【図１１】
0004524537.tif 000013
【図１２】
0004524537.tif 000014
【図１３】
0004524537.tif 000015
【図１４】
0004524537.tif 000016